(57)【要約】【課題】アナログ放送の停波後における操作性の低下を防ぐことができるとともに、アナログ放送が存続している限りは、アナログ放送を視聴できるアナログ放送及びデジタル放送を受信可能な放送受信機を提供する。【解決手段】チャンネルメモリ１０４は受信可能なチャンネルを記憶し、ＣＰＵ１０１は、取得プログラム１０５ａの実行により、デジタル放送信号に多重化された時刻情報を取得し、第１判断プログラムの実行により取得された時刻情報に基づいて、現在時刻がアナログ放送の終了予定日時を過ぎているか否かを判断し、第１検索プログラム１０５ｃの実行により、現在時刻がアナログ放送の終了予定日時を過ぎていると判断した場合に、受信可能なデジタル放送及びアナログ放送のチャンネルを検索し、更新プログラム１０５ｄの実行により、チャンネルメモリ１０４を更新する。【選択図】図１
2009111468.tif 000002
【特許請求の範囲】
【請求項１】
デジタル放送信号及びアナログ放送信号を受信可能な放送受信機において、
受信可能なチャンネルを記憶する記憶手段と、
デジタル放送信号に多重化された時刻情報を取得する取得手段と、
前記取得手段により取得された前記時刻情報に基づいて、現在時刻が、アナログ放送の終了予定日時を過ぎているか否かを判断する判断手段と、
前記判断手段により、現在時刻が、アナログ放送の終了予定日時を過ぎていると判断された場合に、受信可能なデジタル放送及びアナログ放送のチャンネルを検索する検索手段と、
前記検索手段による検索結果に基づいて、前記記憶手段を更新する更新手段と、
を備えることを特徴とする放送受信機。
【請求項２】
前記更新手段により更新された記憶手段に基づいて、アナログ放送のチャンネルが残存しているか否かを判断する第２判断手段と、
前記第２判断手段によりアナログ放送のチャンネルが残存していると判断された場合に、受信可能なデジタル放送及びアナログ放送のチャンネルを検索する第２検索手段と、
を備えることを特徴とする請求項１に記載の放送受信機。
【請求項３】
デジタル放送信号及びアナログ放送信号を受信可能な放送受信機において、
受信可能なチャンネルを記憶する記憶手段と、
デジタル放送信号に多重化された時刻情報を取得する取得手段と、
前記取得手段により取得された前記時刻情報に基づいて、現在時刻が、アナログ放送の終了予定日時を過ぎているか否かを判断する第１判断手段と、
前記第１判断手段により、現在時刻が、アナログ放送の終了予定日時を過ぎていると判断された後、最初に当該放送受信機がスタンバイ状態とされた際に、受信可能なデジタル放送及びアナログ放送のチャンネルを検索する第１検索手段と、
前記第１検索手段による検索結果に基づいて、前記記憶手段を更新する更新手段と、
前記更新手段による更新後、所定時間経過毎に、前記記憶手段に、アナログ放送のチャンネルが残存しているか否かを判断する第２判断手段と、
前記第２判断手段によりアナログ放送のチャンネルが残存していると判断された場合に、受信可能なデジタル放送及びアナログ放送のチャンネルを検索する第２検索手段と、を備えることを特徴とする放送受信機。
【発明の詳細な説明】
【技術分野】
【０００１】
本発明は、アナログ放送及びデジタル放送の受信が可能な放送受信機に関する。
【背景技術】
【０００２】
現在、テレビジョン放送のサービスは、デジタル放送とアナログ放送が混在しており、デジタル放送とアナログ放送の両方を受信する機能を備えた放送受信機が広く用いられている。しかしながら、今後、アナログ放送は地域ごとに定められた一定の時期に終了する予定である。したがって、デジタル及びアナログ放送を受信可能な放送受信機では、アナログ放送の終了後には、アナログ放送信号処理用の不要な機能が残ることとなる。
【０００３】
そこで、例えば、アナログ放送が停波した後に、ユーザがスイッチを切り換えることで、アナログ放送受信処理部への電源供給が停止され、あわせて、アナログ放送に関わる機能が無効化される放送録画再生装置が知られている（特許文献１参照）。また、例えば、ユーザが、メニュー画面においてアナログ放送関連機能のオフを選択すると、アナログ放送関連機能が無効化され、更に、メニュー表示内容がデジタル専用に変更されるアナログ放送デジタル放送共用受信機が知られている（特許文献２参照）。上記特許文献１及び特許文献２では、アナログ放送の停波後の不要な装置の消費電力を削減することが可能であると同時に、アナログ放送停波後に、ユーザが、アナログ放送のチャンネルをスキップするための余計な操作や、アナログ放送を選局するといった誤った操作等を省くことができ、操作性の低下を防ぐことができるという利点がある。
【０００４】
しかしながら、上記特許文献１及び特許文献２の装置では、ユーザ自身が、アナログ放送が終了したことを把握して、スイッチを切り換えたり、メニュー画面でアナログ放送関連機能のオフを選択するといった所定の操作を行う必要があるため、手間がかかるという問題があった。また、ユーザがアナログ放送の終了を知らない場合には、アナログ放送の停波後にアナログ放送のチャンネルに切り換えても番組が表示されないため、ユーザの混乱を招く恐れもある。
【０００５】
そこで、例えば、特許文献３には、アナログ放送の終了時期において、アナログ放送の停波後も従来通りの番組が視聴できるように、デジタル放送の放送チャンネルに移行するようにメッセージを表示、若しくはアナログ放送の放送チャンネルと同一番組のサイマル放送を行っているデジタル放送の放送チャンネルに自動的に移行する機能を備えた放送受信装置が提案されている。
【特許文献１】特開２００６−１０８９７４号公報
【特許文献２】特開２００７−２０８７８３号公報
【特許文献３】特開２００４−３２０４４９号公報
【発明の開示】
【発明が解決しようとする課題】
【０００６】
上記特許文献３の放送受信装置では、サイマル放送を行っているデジタル放送がある場合に、アナログ放送の停波前であってもデジタル放送がある旨をユーザに報知し、アナログ放送の終了前にデジタル放送に移行する場合がある。このような場合において、例えば、デジタル放送への移行後にデジタル放送の受信機能に何らかの不具合が発生した場合には、希望のデジタル放送を視聴できなくなってしまう。そして、アナログ放送のサイマル放送が存続しているとしても、アナログ放送のチャンネルに容易に切り替えることができないため、結果的にユーザにとって不利益が生じてしまう可能性があった。
【０００７】
本発明の課題は、アナログ放送及びデジタル放送を受信可能な放送受信機において、アナログ放送の停波後における操作性の低下を防ぐことができるとともに、アナログ放送が存続している限りは、アナログ放送を視聴できる放送受信機を提供することである。
【課題を解決するための手段】
【０００８】
上記課題を解決するため、請求項１に記載の発明は、デジタル放送信号及びアナログ放送信号を受信可能な放送受信機において、
受信可能なチャンネルを記憶する記憶手段と、
デジタル放送信号に多重化された時刻情報を取得する取得手段と、
前記取得手段により取得された前記時刻情報に基づいて、現在時刻が、アナログ放送の終了予定日時を過ぎているか否かを判断する判断手段と、
前記判断手段により、現在時刻が、アナログ放送の終了予定日時を過ぎていると判断された場合に、受信可能なデジタル放送及びアナログ放送のチャンネルを検索する検索手段と、
前記検索手段による検索結果に基づいて、前記記憶手段を更新する更新手段と、
を備えることを特徴とする。
【０００９】
請求項２に記載の発明は、請求項１に記載の放送受信機において、前記更新手段により更新された記憶手段に基づいて、アナログ放送のチャンネルが残存しているか否かを判断する第２判断手段と、
前記第２判断手段によりアナログ放送のチャンネルが残存していると判断された場合に、受信可能なデジタル放送及びアナログ放送のチャンネルを検索する第２検索手段と、
を備えることを特徴とする。
【００１０】
請求項３に記載の発明は、デジタル放送信号及びアナログ放送信号を受信可能な放送受信機において、
受信可能なチャンネルを記憶する記憶手段と、
デジタル放送信号に多重化された時刻情報を取得する取得手段と、
前記取得手段により取得された前記時刻情報に基づいて、現在時刻が、アナログ放送の終了予定日時を過ぎているか否かを判断する第１判断手段と、
前記第１判断手段により、現在時刻が、アナログ放送の終了予定日時を過ぎていると判断された後、最初に当該放送受信機がスタンバイ状態とされた際に、受信可能なデジタル放送及びアナログ放送のチャンネルを検索する第１検索手段と、
前記第１検索手段による検索結果に基づいて、前記記憶手段を更新する更新手段と、
前記更新手段による更新後、所定時間経過毎に、前記記憶手段に、アナログ放送のチャンネルが残存しているか否かを判断する第２判断手段と、
前記第２判断手段によりアナログ放送のチャンネルが残存していると判断された場合に、受信可能なデジタル放送及びアナログ放送のチャンネルを検索する第２検索手段と、を備えることを特徴とする。
【発明の効果】
【００１１】
本発明によれば、デジタル放送信号及びアナログ放送信号を受信可能な放送受信機において、記憶手段により、受信可能なチャンネルが記憶され、取得手段により、デジタル放送信号に多重化された時刻情報が取得され、判断手段により、取得手段により取得された時刻情報に基づいて、現在時刻がアナログ放送の終了予定日時を過ぎているか否かが判断され、検索手段により、判断手段により現在時刻がアナログ放送の終了予定日時を過ぎていると判断された場合に、受信可能なデジタル放送及びアナログ放送のチャンネルが検索され、更新手段により、検索手段による検索結果に基づいて記憶手段が更新される。
したがって、アナログ放送及びデジタル放送を受信可能な放送受信機において、アナログ放送停波後には、アナログ放送のチャンネルをスキップするための余計な操作等を省いて、操作性の低下を防ぐことができる。また、アナログ放送が存続している限りは、アナログ放送を視聴できることとなる。
【発明を実施するための最良の形態】
【００１２】
以下、図面を参照しながら、本発明の実施の形態を詳細に説明する。
本実施形態の放送受信機１００は、デジタル放送信号の処理を行うデジタル放送処理部１、アナログ放送信号の処理を行うアナログ放送処理部２、デジタル放送及びアナログ放送の処理を共通して行う共通部から構成されており、デジタル放送及びアナログ放送の両テレビジョン放送信号を受信することができる。
【００１３】
本実施形態の放送受信機１００は、例えば、デジタル放送信号を受信して復調・復号等の処理を行うデジタル放送処理部１、アナログ放送信号を受信して復調等の処理を行うアナログ放送処理部２、デジタル放送処理部１及びアナログ放送処理部２からの出力に経路を切り替える切替部３、映像信号に対して所定の映像処理を行う映像処理部４、音声信号に対して所定の音声処理を行う音声処理部５、映像処理部４から映像出力部７に入力される映像信号にＯＳＤデータを付加するＯＳＤ回路６、映像処理部４から入力される映像信号を出力する映像出力部７、音声処理部５により入力される音声信号を出力する音声出力部８、ユーザが各種指示を受信機本体に対して送信することにより、受信機本体を操作するためのリモートコントローラ等から成るキー入力部９、放送受信機１００全体を統括制御する制御部１０等を備えて構成されている。
【００１４】
デジタル放送処理部１は、例えば、デジタルアンテナ１１、デジタルチューナ１２、デジタル復調部１３、デコーダ部１４等から構成される。
【００１５】
デジタルアンテナ１１は、例えば、屋外において所定の方向に向けて配置されており、図示しないテレビジョン放送局等から発信される高周波（RF）のデジタル放送信号（RF信号）を受信する。
デジタルチューナ１２は、デジタルアンテナ１１等により入力された高周波信号のデジタル放送データの中から、ＢＰＦ（バンドパスフィルタ）により特定周波数帯の信号を抽出して増幅し、局部発振器及びミキサにより周波数変換する。さらに、ＢＰＦにより特定周波数帯の信号を抽出して、低周波信号に変換した後にＬＰＦ（ローパスフィルタ）を介してＡＤ変換等を行い、デジタル復調部１３に出力する。
デジタル復調部１３は、例えば、制御部１０からの指示に従って、デジタルチューナ１２から出力された中間周波信号に対して所定の復調方式（例えば、8VSB:Vestigial Side Band）による復調処理や、所定の誤り訂正方式（例えば、内符号としてのトレリス・外符号としてのリードソロモンに基づく誤り訂正方式）による誤り訂正処理等を実行し、トランスポートストリーム（TS）を生成して、デコーダ部１４に出力する。
【００１６】
デコーダ部１４は、例えば、分離部１４１、ビデオデコーダ１４２、オーディオデコーダ１４３、データデコーダ１４４等を備えている。
【００１７】
分離部１４１は、デジタル復調部１３から入力されるＴＳを複数のストリームに分離する。ＴＳは、例えば、ＭＰＥＧ−２  Ｓｙｓｔｅｍｓ方式でビデオデータ、オーディオデータ、番組データ等が多重化されている。
ここで、ＴＳに多重化されて本放送受信機１００に送られてくる番組データは、例えば、ＰＳＩＰ（Program and System Information Protocol）である。ＰＳＩＰは、現在時刻を記述する時刻情報としてのＳＴＴ（system time table）や、ＳＴＴを除く他の全てのＰＳＩＰテーブルに関する情報（例えば、ＰＩＤ等）を記述するＭＧＴ（master guide table）、放送中又は放送予定の全ての仮想チャンネルのリストや、各仮想チャンネルの番号・名前を記述するＶＣＴ（virtual channel table）、各地域別のレーティング情報を記述するＲＲＴ（rating region table）、仮想チャンネル内の放送予定番組の番組タイトルや技術情報を記述するＥＩＴ（event information table）、仮想チャンネルや番組の詳細情報を記述するＥＴＴ（extended text table）等の各種テーブルを含んで成る。
ＣＰＵ１０１は、ＰＳＩＰを解析することにより、分離したストリームの中から必要なＴＳパケットを取得して、ビデオストリームをビデオデコーダ１４２に、オーディオストリームをオーディオデコーダ１４３に、ＰＳＩＰ等のデータをデータデコーダ１４４に出力する。
【００１８】
ビデオデコーダ１４２は、分離部１４１から入力されるＭＰＥＧ−2 Ｖｉｄｅｏ方式等で圧縮されたビデオストリームをデコードする。具体的には、ビデオデコーダ１４２は、ビデオストリームに、可変長復号化、逆量子化、逆ＤＣＴ、動き補正等の各種処理を行うことで、ビデオストリームを所定のタイミングでデコードし、映像データを生成して切替部３に出力する。
オーディオデコーダ１４３は、分離部１４１から入力されるＤｏｌｂｙ  ＡＣ−３方式等で圧縮されたオーディオストリームをデコードし、音声データを生成して切替部３に出力する。
【００１９】
データデコーダ１４４は、入力されたＰＳＩＰ等のデータをデコードし、制御部１０、ＯＳＤ回路６等に出力する。制御部１０に入力されたＰＳＩＰは図示しないＥＰＧメモリに格納され、ＥＰＧ情報としてユーザに提供されることとなる。ＰＳＩＰに含まれるＳＴＴ（時刻情報）は、後述の取得プログラム１０５ａの実行において取得され、後述の第１判断プログラム１０５ｂの実行において、現在時刻がアナログ放送の終了予定日時を過ぎているか否かの判断等に用いられる。
【００２０】
アナログ放送処理部２は、例えば、アナログアンテナ２１、アナログチューナ２２、アナログ復調部２３等から構成される。
【００２１】
アナログアンテナ２１は、例えば、屋外において所定の方向に向けて配置されており、図示しないテレビジョン放送局等から発信される高周波（RF）のアナログ放送信号（RF信号）を受信する。
アナログチューナ２２は、例えば、図示は省略するが、高周波増幅回路と、局部発振回路及び混合回路から成る周波数変換回路と、を備えて構成されており、アナログアンテナ２１により入力されたアナログ放送信号を、高周波増幅回路において増幅するとともに、混合回路において、局部発振回路から出力される局部発振信号と混合する。さらに、特定の周波数を選局するための制御部１０からの制御出力に応じて、特定周波数帯の中間周波信号（IF信号）を受信して、アナログ復調部２３に出力する。
アナログ復調部２３は、例えば、制御部１０からの指示に従って、アナログチューナ２２から出力された中間周波信号に対して復調等の処理を実行し、切替部３に出力する。
【００２２】
切替部３は、制御部１０からの指示に従って、デジタル放送受信・処理部１からの出力又はアナログ放送受信・処理部２からの出力に経路を切り替える。
【００２３】
映像処理部４は、入力される映像データに対して各種映像処理を施し、映像信号を生成する。音声処理部５は、オーディオデコーダ１４３から入力された音声データに対して、各種音声処理を施し、音声信号を生成する。そして、生成された映像信号は、映像出力部７に出力されるとともに、音声信号は音声出力部８に出力される。
【００２４】
ＯＳＤ回路６は、制御部１０からの指示出力に応じて、ＲＯＭ１０５に格納された図示しないＯＳＤデータを映像処理部４に入力される映像信号に合成する処理を行う。
【００２５】
映像出力部７は、例えば、ＬＣＤ（Liquid Crystal Display）、ＰＤＰ（Plasma Display Panel）等の表示画面を備え、映像処理部４から入力された映像信号に基づく映像を所定のタイミングで表示画面に表示させる。
音声出力部８は、例えば、スピーカ等を備え、音声処理部５から入力された音声信号に基づく音声をスピーカにより出力させる。
【００２６】
キー入力部９は、例えば、受信機本体を遠隔操作するためのリモートコントローラであり、複数のキーを備えて構成されている。キー入力部９に備わる複数のキーは、例えば、電源キー、チャンネルアップ／ダウンキー、デジタル放送選局キー、アナログ放送選局キー、テンキー等であり、ユーザによるキーの押下操作に応じて、押下されたキーに対応するリモートコントロール信号（以下、リモコン信号という。）が出力されるようになっている。
【００２７】
制御部１０は、ＣＰＵ（Central Processing Unit）１０１、計時部１０２、ＲＡＭ（Random Access Memory）１０３、チャンネルメモリ１０４、ＲＯＭ（Read Only Memory）１０５等を備えて構成されている。
【００２８】
ＣＰＵ１０１は、受像機本体の各部から入力された入力信号や、キー入力部９におけるキー操作によって入力された入力操作信号等に応じて、ＲＯＭ１０５に格納された各種プログラムを実行するとともに、実行にかかるプログラムに基づいて受像機本体の各部に出力信号を出力することにより、放送受信機１００の動作全般を統括制御する。
【００２９】
ＲＡＭ１０３は、ＣＰＵ１０１のワークエリアとして用いられ、ＣＰＵ１０１によって各種プログラムが実行される際に生じる処理結果や、入力されたデータ等を記憶する。
【００３０】
チャンネルメモリ１０４は、例えば、ＥＰＲＯＭ（Erasable Programmable ROM）等の不揮発性メモリから構成され、チャンネルの自動スキャン処理により受信可能であると判定されたチャンネルを記憶する。
チャンネルメモリ１０４は、例えば、図２に示すように、自動スキャン処理において受信可能であると判定された放送信号の物理チャンネル（physical channel）に対して、メジャーチャンネル番号（major channel number）と、マイナーチャンネル番号（minor channel number）とを、デジタル放送信号であるか或いはアナログ放送信号であるかの分類とともに対応づけて記憶する。なお、各物理チャンネルは、チャンネルの選局の際にチューナが選局する搬送周波数（carrier frequency）に対応付けられている。
【００３１】
ＲＯＭ１０５は、プログラム格納エリアを備え、例えば、取得プログラム１０５ａ、第１判断プログラム１０５ｂ、第１検索プログラム１０５ｃ、更新プログラム１０５ｄ、第２判断プログラム１０５ｅ、第２検索プログラム１０５ｆ等を備えている。
【００３２】
取得プログラム１０５ａは、例えば、ＣＰＵ１０１に、デジタル放送信号に多重化された時刻情報を取得する機能を実現するためのプログラムである。
具体的には、ＣＰＵ１０１は、デジタル放送信号としてのＴＳがデコーダ部１４に入力されると、データデコーダ１４４において、このＴＳに多重化されているＰＳＩＰを解析して、ＰＳＩＰに含まれるＳＴＴを取得する。ＳＴＴは、「０ｘＣＤ」の「table_id」を持つテーブルであり、ＳＴＴ内の「system_time」に、現在時刻が記述されている。
ＣＰＵ１０１は、かかる取得プログラム１０５ａを実行することにより、取得手段として機能する。
【００３３】
第１判断プログラム１０５ｂは、例えば、ＣＰＵ１０１に、取得プログラム１０５ａの実行により取得された時刻情報に基づいて、現在時刻が、アナログ放送の終了予定日時を過ぎているか否かを判断する機能を実現させるためのプログラムである。
具体的には、アナログ放送の終了予定日時は、予め所定の記憶領域に記憶されている。そして、取得プログラム１０５ａの実行によりデジタル放送信号としてのＴＳに多重化されている時刻情報（ＳＴＴ）が取得されると、ＣＰＵ１０１は、取得した時刻情報に基づく現在時刻と、予め記憶されたアナログ放送の終了予定日時（例えば、北米では、２００９年２月１７日）を比較し、取得した現在時刻が、アナログ放送の終了予定日時を過ぎているか否かを判断する。そして、当該第１判断プログラム１０５ｂの実行において、現在時刻がアナログ放送の終了予定日時を過ぎていると判断された場合に、後述の第１検索プログラム１０５ｃを実行する。
ＣＰＵ１０１は、かかる第１判断プログラム１０５ｂを実行することにより、第１判断手段（判断手段）として機能する。
【００３４】
第１検索プログラム１０５ｃは、例えば、ＣＰＵ１０１に、第１判断プログラム１０５ｂの実行により、現在時刻が、アナログ放送の終了予定日時を過ぎていると判断された後、最初に当該放送受信機１００がスタンバイ状態とされた際に、受信可能なデジタル放送及びアナログ放送のチャンネルを検索する機能を実現させるためのプログラムである。
具体的には、現在時刻がアナログ放送の終了予定日時を過ぎていると判断された後、ＣＰＵ１０１は、最初に、放送受信機１００がスタンバイ状態（待機状態）とされたか否かを判断する。そして、アナログ放送の終了予定日時を過ぎた後において、リモコンの電源キー等の操作により、放送受信機１００においてシャットダウン処理が行われてスタンバイ状態とされると、ＣＰＵ１０１は、デジタルチューナ１２及びアナログチューナ２２を用いて、放送帯域内の全てのアナログ放送及びデジタル放送のチャンネルを一チャンネルずつ順に自動的にスキャンする自動スキャン処理を行う。
ＣＰＵ１０１は、かかる第１検索プログラム１０５ｃを実行することにより、第１検索手段（検索手段）として機能する。
【００３５】
更新プログラム１０５ｄは、例えば、ＣＰＵ１０１に、第１検索プログラム１０５ｃの実行による検索結果に基づいて、チャンネルメモリ１０４（記憶手段）を更新する機能を実現させるためのプログラムである。
具体的には、第１検索プログラム１０５ｃの実行によるスキャン処理において、放送信号が受信可能なチャンネルを、順次チャンネルメモリ１０４に記憶させ、チャンネルメモリ１０４を更新する。
ＣＰＵ１０１は、かかる更新プログラム１０５ｄを実行することにより、更新手段として機能する。
【００３６】
図３は、アナログ放送の終了予定日時を過ぎた後に実行された一回目のチャンネル検索処理に基づいて更新されたチャンネルメモリ１０４を例示している。図３のチャンネルメモリ１０４では、図２のチャンネルメモリ１０４において記憶されていた“８−０”のアナログ放送のチャンネルは記憶されておらず、このチャンネルが、当該一回目のチャンネル検索処理では受信不可能であったことが分かる。また、図３のチャンネルメモリ１０４では、“６−０”と“７−０”のアナログ放送のチャンネルは、未だに受信可能なチャンネルとして記憶されている。
【００３７】
第２判断プログラム１０５ｅは、例えば、ＣＰＵ１０１に、更新プログラム１０５ｄの実行によるチャンネルメモリ１０４（記憶手段）の更新後、所定時間経過毎に、チャンネルメモリ１０４に、アナログ放送のチャンネルが残存しているか否かを判断する機能を実現させるためのプログラムである。
具体的には、ＣＰＵ１０１は、自動スキャン処理に基づいてチャンネルメモリ１０４が更新されると、予め定められた時間（例えば、１時間）が経過する度に、このチャンネルメモリ１０４にアナログ放送のチャンネルが残存しているか否かを判断する。例えば、図３のチャンネルメモリ１０４には、“６−０”及び“７−０”が、受信可能なアナログ放送のチャンネルとして記憶されており、ＣＰＵ１０１は、アナログ放送の停波後もアナログ放送のチャンネルが残存していると判断する。
ＣＰＵ１０１は、かかる第２判断プログラム１０５ｅを実行することにより、第２判断手段として機能する。
【００３８】
第２検索プログラム１０５ｆは、例えば、ＣＰＵ１０１に、第２判断プログラム１０５ｅの実行によりアナログ放送のチャンネルが残存していると判断された場合に、受信可能なデジタル放送及びアナログ放送のチャンネルを検索する機能を実現させるためのプログラムである。
具体的には、ＣＰＵ１０１は、アナログ放送の停波後も、アナログ放送のチャンネルが残存していると判断すると、再び、放送帯域内の全てのアナログ放送及びデジタル放送のチャンネルを一チャンネルずつ順に自動的にスキャンするスキャン処理を実行する。そして、スキャン処理の結果、受信可能であったチャンネルをチャンネルメモリ１０４に記憶させる。
ＣＰＵ１０１は、かかる第２検索プログラム１０５ｆを実行することにより、第２検索手段として機能する。
【００３９】
上記第２判断プログラム１０５ｅ及び第２検索プログラム１０５ｆは、チャンネルメモリ１０４にアナログ放送のチャンネルが残存している限り、チャンネルメモリ１０４からアナログ放送のチャンネルが完全に無くなるまで繰り返し実行され、チャンネルメモリ１０４にアナログ放送のチャンネルが無くなると終了する。即ち、ＣＰＵ１０１は、第２判断プログラム１０５ｅの実行によるチャンネル再検索の後、再度第２判断プログラム１０５ｅを実行し、アナログ放送のチャンネルが残存しているか否かを判断する。そして、アナログ放送のチャンネルが残存している場合には第２検索プログラム１０５ｆを再び実行して受信可能なチャンネルの再検索を行い、残存していない場合には終了する。
【００４０】
図４は、アナログ放送の終了予定日時を過ぎた後に実行された二回目のチャンネルの再検索処理に基づいて更新されたチャンネルメモリ１０４を例示している。図４のチャンネルメモリ１０４では、図３のチャンネルメモリ１０４において記憶されていた“６−０”のアナログ放送のチャンネルは記憶されておらず、このチャンネルが、当該二回目のチャンネル検索処理では受信不可能であった旨が分かる。一方、“７−０”のアナログ放送のチャンネルは、未だに受信可能なチャンネルとして記憶されている。
また、図５は、アナログ放送の終了予定日時を過ぎた後に実行された三回目のチャンネルの再検索処理に基づいて更新されたチャンネルメモリ１０４を例示している。図５のチャンネルメモリ１０４では、図４のチャンネルメモリ１０４において記憶されていた“７−０”のアナログ放送のチャンネルは記憶されておらず、このチャンネルが、当該三回目のチャンネル検索処理では受信不可能であった旨が分かる。また、詳しい図示は省略するが、図５のチャンネルメモリ１０４には、アナログ放送のチャンネルは一つも記憶されておらず、アナログ放送が全て終了したこととなる。
【００４１】
なお、第２判断プログラム１０５ｅによる判断処理と、第２検索プログラム１０５ｆの実行によるチャンネル検索処理は、例えば、放送受信機１００がスタンバイ状態（待機状態）とされた際に実行される。
また、自動スキャン処理に際して、映像出力部７や音声出力部８における映像・音声等の出力が停止され、放送受信機１００の見た目はシャットダウン状態とされる。
【００４２】
次に、図６のフローチャートを参照しながら、本実施形態の放送受信機１００において実行されるチャンネル検索処理について説明する。
【００４３】
まず、ステップＳ１において、ＣＰＵ１０１は、キー入力部９において、電源キーの入力が有るか否かを判断する。ＣＰＵ１０１は、ステップＳ１において、電源キーの入力有りと判断すると（ステップＳ１；Ｙｅｓ）、ステップＳ２において、デジタル放送信号から取得した時刻情報（例えば、ＳＴＴ）に基づいて、現在時刻がアナログ放送の終了予定日時を経過しているか否かを判断する。ステップＳ２において、ＣＰＵ１０１は、アナログ放送の終了予定日時を過ぎていないと判断すると（ステップＳ２；Ｎｏ）、ステップＳ６に進む。一方、ＣＰＵ１０１は、ステップＳ２において、現在時刻がアナログ放送の終了予定日時を過ぎていると判断すると（ステップＳ２；Ｙｅｓ）、ステップＳ３に進む。
ステップＳ３において、ＣＰＵ１０１は、アナログ放送停波後の最初のシャットダウンであるか否かを判断する。ＣＰＵ１０１は、ステップＳ３において、アナログ放送停波後の最初のシャットダウンでないと判断すると（ステップＳ３；Ｎｏ）、ステップＳ７に進み、一方、アナログ放送停波後の最初のシャットダウンであると判断すると（ステップＳ３；Ｙｅｓ）、ステップＳ４に進む。
【００４４】
ステップＳ４において、ＣＰＵ１０１は、アナログチューナ２２及びデジタルチューナ１２を用いて、受信可能なアナログ放送のチャンネル及びデジタル放送のチャンネルを検索する自動スキャン処理を実行する。さらに、ステップＳ５において、ステップＳ４における自動スキャン処理の結果に基づいて、チャンネルメモリ１０４を更新する。
ステップＳ６において、ＣＰＵ１０１は、放送受信機１００のシャットダウン処理を行い、本処理を終了する。
【００４５】
一方、ステップＳ７において、ＣＰＵ１０１は、チャンネルメモリ１０４の更新後、所定時間が経過したか否かを判断する。そしえ、所定時間が経過したと判断すると（ステップＳ７；Ｙｅｓ）、ステップＳ８において、更新されたチャンネルメモリ１０４に、アナログ放送のチャンネルが残存しているか否かを判断する。ＣＰＵ１０１は、ステップＳ８において、チャンネルメモリ１０４にアナログ放送のチャンネルが残存していると判断すると（ステップＳ８；Ｙｅｓ）、ステップＳ９において、受信可能なアナログ放送のチャンネル及びデジタル放送のチャンネルを再検索する自動スキャン処理を実行する。さらに、ステップＳ１０において、ステップＳ９における自動スキャン処理に基づいて、チャンネルメモリ１０４を更新し、ステップＳ６に進む。
一方、ＣＰＵ１０１は、ステップＳ１１において、チャンネルメモリ１０４にアナログ放送のチャンネルが残存していないと判断すると（ステップＳ１１；Ｎｏ）、第２判断プログラム１０５ｅ及び第２検索プログラム１０５ｆの停止処理を行い、ステップＳ６に進む。
【００４６】
以上説明した本実施形態における放送受信機１００によれば、チャンネルメモリ１０４（記憶手段）により、受信可能なチャンネルが記憶され、取得プログラム１０５ａ（取得手段）の実行により、デジタル放送信号に多重化された時刻情報が取得され、第１判断プログラム１０５ｂ（第１判断手段、判断手段）の実行により、取得プログラム１０５ａにより取得された時刻情報に基づいて、現在時刻が、アナログ放送の終了予定日時を過ぎているか否かが判断され、第１検索プログラム１０５ｃ（第１検索手段、検索手段）の実行により、第１判断プログラム１０５ｂにより、現在時刻が、アナログ放送の終了予定日時を過ぎていると判断された後、最初に当該放送受信機１００がスタンバイ状態とされた際に、受信可能なデジタル放送及びアナログ放送のチャンネルが検索され、更新プログラム１０５ｄ（更新手段）の実行により、第１検索プログラム１０５ｃによる検索結果に基づいて、チャンネルメモリ１０４が更新され、第２判断プログラム１０５ｅ（第２判断手段）の実行により、更新プログラム１０５ｄによる更新後、所定時間経過毎に、チャンネルメモリ１０４にアナログ放送のチャンネルが残存しているか否かが判断され、第２検索プログラム１０５ｆ（第２検索手段）の実行により、第２判断プログラム１０５ｅによりアナログ放送のチャンネルが残存していると判断された場合に、受信可能なデジタル放送及びアナログ放送のチャンネルが検索される。
したがって、アナログ放送及びデジタル放送を受信可能な放送受信機１００において、アナログ放送停波後には、アナログ放送のチャンネルをスキップするための余計な操作等を省いて、操作性の低下を防ぐことができる。また、アナログ放送が存続している限りは、アナログ放送を視聴できることとなり、ユーザのニーズに応えることができる。
【００４７】
また、第２判断プログラム１０５ｅの実行により、更新プログラム１０５ｄの実行による更新後、所定時間毎に、更新されたチャンネルメモリ１０４にアナログ放送のチャンネルが残存しているか否かが判断され、アナログ放送のチャンネルが残存している場合には、第２検索プログラム１０５ｆの実行により、再び、受信可能なデジタル放送及びアナログ放送のチャンネルが検索される。
したがって、予定されているアナログ放送の終了日時と、実際の終了日時にずれが生じた場合や、アナログ放送の各チャンネルが別々の日時に終了した場合であっても、チャンネルメモリ１０４にアナログ放送のチャンネルが残存している限り、所定時間間隔で、受信可能なチャンネルの検索が行われる。よって、より確実に、終了したアナログ放送のチャンネルを、記憶手段から削除することができる。また、放送が終了したチャンネルから順に、記憶手段から削除されていくこととなるため、利便性が向上することとなる。
【００４８】
また、第１検索プログラム１０５ｃの実行による受信可能なデジタル放送及びアナログ放送のチャンネルの検索は、当該放送受信機１００が最初にスタンバイ状態とされた際に実行される。したがって、番組の視聴中にチャンネル検索処理が実行されることによるユーザの満足度の低下を防ぎながらも、アナログ放送終了予定日時後のより早いタイミングに、チャンネル検索処理が自動的に実行されることとなり、ユーザにとって使い勝手の良いものとなる。
【００４９】
なお、本発明は、上記実施形態に限られることなく、本発明の趣旨を逸脱しない範囲において種々の改良並びに設計の変更を行っても良い。
例えば、デジタル放送及びアナログ放送の放送方式は、上記実施形態の中で例示したＡＴＳＣ方式・ＮＴＳＣ方式に限られることなく、各地域の採用する放送方式に応じた処理が実行されるように構成可能である。
【図面の簡単な説明】
【００５０】
【図１】本発明を適用した本実施形態における放送受信機の要部構成を例示するブロック図である。
【図２】アナログ放送の終了予定日時前のチャンネルメモリを例示する図である。
【図３】アナログ放送の終了予定日時を過ぎた後に実行された一回目のチャンネル検索処理に基づいて更新されたチャンネルメモリを例示する図である。
【図４】アナログ放送の終了予定日時を過ぎた後に実行された二回目のチャンネルの再検索処理に基づいて更新されたチャンネルメモリを例示する図である。
【図５】アナログ放送の終了予定日時を過ぎた後に実行された三回目のチャンネルの再検索処理に基づいて更新されたチャンネルメモリを例示する図である。
【図６】本実施形態の放送受信機において実行されるチャンネル検索処理を示すフローチャートである。
【符号の説明】
【００５１】
１００    放送受信機
１０１    ＣＰＵ（取得手段、第１判断手段、判断手段、第１検索手段、検索手段、更新手段、第２判断手段、第２検索手段）
１０４    チャンネルメモリ（記憶手段）
１０５ａ  取得プログラム（取得手段）
１０５ｂ  第１判断プログラム（第１判断手段、判断手段）
１０５ｃ  第１検索プログラム（第１検索手段、検索手段）
１０５ｄ  更新プログラム（更新手段）
１０５ｅ  第２判断プログラム（第２判断手段）
１０５ｆ  第２検索プログラム（第２検索手段）
【図１】
2009111468.tif 000003
【図２】
2009111468.tif 000004
【図３】
2009111468.tif 000005
【図４】
2009111468.tif 000006
【図５】
2009111468.tif 000007
【図６】
2009111468.tif 000008